(57)【要約】【課題】耐久性に優れ、鞄を長年に渡り使用できる持ち手取付構造を提供する。【解決手段】本発明の持ち手取付構造は、持ち手２を、外側持ち手部２１と内側持ち手部２２とを接合して形成してあり、外側持ち手部２１の両先端部を身頃１１の表面に取り付け、内側持ち手部２２の両先端部を、身頃１１と上マチ部１２との間に挟み込みながら取り付けてあることを特徴とするものである。  このような構造にすることにより、持ち手２の先端部をそれぞれ身頃１１の別の箇所に取り付けたため、鞄１を持ち上げた際、持ち手２の取り付け部分にかかる負荷を分散でき、縫い糸が切れにくく、また、身頃１１や持ち手２が引き裂かれにくくなり、鞄１を長年に渡り使用することができる。【選択図】図３
2011036464.tif 000002
【特許請求の範囲】
【請求項１】
鞄の持ち手取付構造であって、持ち手を、外側持ち手部と内側持ち手部とを接合して形成してあり、外側持ち手部の両先端部を身頃の表面に取り付け、内側持ち手部の両先端部を、身頃と上マチ部との間に挟み込みながら取り付けてある持ち手取付構造。
【請求項２】
持ち手先端部付近に復元部材を設けてあり、この復元部材を外側持ち手部と内側持ち手部との間に挟み込むように取り付けてある請求項１に記載の持ち手取付構造。
【請求項３】
前記復元部材は、繊維を樹脂板に貼り合わせたものである請求項２に記載の持ち手取付構造。
【発明の詳細な説明】
【技術分野】
【０００１】
本発明は、手提げ鞄や肩掛け鞄などの鞄の持ち手取付構造に関する。
【背景技術】
【０００２】
手提げ鞄や肩掛け鞄などの持ち手は、例えば、図５（ａ）又は図５（ｂ）に示すように、持ち手５１の先端部を身頃６１の表面上に縫製して取り付けたものや、図６（ａ）又は図６（ｂ）に示すように、持ち手５２の先端部を身頃６２と上マチ部６３との間に挟み込み、これらとともに縫製して取り付けたものがある。
このような持ち手の取り付けは、鞄の持ち上げにより持ち手の縫製部分に負荷がかかり、長年の使用により、持ち手の縫い糸が切れたり、縫製した付近の身頃或いは持ち手が引き裂かれたりしてしまうことがあった。特に、図５に示す取り付けでは、鞄を置いた際に、持ち手５１が直立せず、外側に向け倒れてしまうため、持ち手５１の縫い糸が解れやすいものであった。
【０００３】
下記特許文献１には、鞄に背環を取り付ける構造として、ベルトの一端をバッグの身頃に縫製し、他端をスリットに貫通させてバッグ上面に縫製する取付構造が記載されており、このような構造にすることにより負荷が両端に分散され、取付け部の強度及び耐久性が向上するものである。
【先行技術文献】
【特許文献】
【０００４】
【特許文献１】実開平６−６１１２７号公報
【発明の概要】
【発明が解決しようとする課題】
【０００５】
しかし、上記特許文献１の取付構造は、バッグを持ち上げる度に、身頃とバッグ上面が引き寄せられることになり、身頃やバッグ上面が伸びてしまうおそれがあった。また、ベルトがスリットを出入りする構造であるため、長年の使用によりベルトとスリット付近が擦れ合い、スリット付近が切れてしまうおそれもあった。
【０００６】
そこで、本発明の目的は、耐久性に優れ、鞄を長年に渡り使用できる持ち手取付構造を提供することにある。
【課題を解決するための手段】
【０００７】
本発明の持ち手取付構造は、持ち手を、外側持ち手部と内側持ち手部とを接合して形成してあり、外側持ち手部の先端部を身頃の表面に取り付け、内側持ち手部の先端部を、身頃と上マチ部との間に挟み込みながら取り付けてあることを特徴とするものである。
【０００８】
本発明の持ち手取付構造は、持ち手を外側持ち手部と内側持ち手部とから形成し、これらの先端部をそれぞれ身頃の別の箇所に取り付けたため、鞄を持ち上げた際、持ち手の取り付け部分にかかる負荷を分散できるため、縫い糸が切れにくく、また、身頃や持ち手が引き裂かれにくくなり、鞄を長年に渡り使用することができる。
【図面の簡単な説明】
【０００９】
【図１】本発明の一実施形態の持ち手取付構造を用いた鞄の斜視図である。
【図２】図１の鞄の持ち手付近を拡大した部分拡大斜視図である。
【図３】図１の鞄の持ち手取付構造を示す断面図である。
【図４】本発明の持ち手取付構造の変形例を示す断面図である。
【図５】従来の持ち手取付構造の一例を示し、（ａ）は斜視図、（ｂ）は持ち手取付部付近の断面図である。
【図６】従来の持ち手取付構造の他例を示し、（ａ）は斜視図、（ｂ）は持ち手取付部付近の断面図である。
【発明を実施するための形態】
【００１０】
以下、本発明の持ち手取付構造を、一実施形態に基づいて説明する。
【００１１】
本発明の一実施形態の持ち手取付構造は、図１に示すように、ボストンバッグなどの手提げ鞄１の持ち手２の取り付けに用いることができる。本発明の取付構造は、手提げ鞄以外にも、肩掛け鞄などにも用いることができる。
【００１２】
持ち手２は、平面Ｕ字状に形成してあり、図２に示すように、鞄外側に配した外側持ち手部２１とその内側に配した内側持ち手部２２とを重ね合わせ接合して形成してある。これらの接合は、外側持ち手部２１と内側持ち手部２２とを接面させ、これらの両端部付近を除く中間部を縫製して行なうことができる。この縫製は、図２の縫い目３１として示すように、両縁部に沿いに行うことが好ましい、接合は、接着剤や接着テープによる接着などで行うこともできる。持ち手２は、布、ナイロン、皮、合皮など、従来から鞄に用いられている材料から形成することができる。
【００１３】
外側持ち手部２１は、図２又は３に示すように、平面逆Ｕ字状に形成してあり、両先端部を身頃１１の表面に接面させて縫製し、鞄１に取り付けてある。この縫製は、図３の縫い目３２として示すように、水平方向に上下２箇所に行うことが好ましい。外側持ち手部２１は、縫製ではなく、リベットなどにより身頃１１に取り付けることもできる。
【００１４】
内側持ち手部２２は、図２又は３に示すように、外側持ち手部２１よりも若干両先端部を切り詰めた平面逆Ｕ字状に形成してある。この両先端部を身頃１１と上マチ部１２との間に挟み込み、身頃１１、上マチ部１２及び内側持ち手部２２のそれぞれの端面を沿わせ、これらともに縫製し、鞄１に取り付けてある。この縫製は、図３の縫い目３３として示すように、上下２箇所に行うことが好ましい。
【００１５】
このような持ち手取付構造は、持ち手２を外側持ち手部２１と内側持ち手部２２とから形成し、これらの先端部をそれぞれ身頃１１の別の箇所に取り付けたため、鞄１を持ち上げた際、持ち手の取り付け部分にかかる負荷を分散でき、縫い糸が切れにくく、また、身頃１１或いは持ち手２が引き裂かれにくくなり、鞄１を長年に渡り使用することができる。
【００１６】
また、上記形態において、図４に示すように、持ち手２の両先端部付近の外側持ち手部２１と内側持ち手部２２との間に板状の復元部材４を挟み込む形態とすることもできる。
復元部材４は、折り曲げられるなど変形しても原形に復元する復元力を有する折り曲げ反復に強い芯材であり、例えば、ポリプロピレン板や塩化ビニルなどの繊維を樹脂板に貼り合わせて板状にしたものなどを用いることができ、長方形状などの形状にすることが好ましい。
復元部材４は、図４に示すように、身頃１１と外側持ち手部２１との間に縦向きに挟み込み、上側の縫い目３２で一緒に縫製して取り付けることができる。
このように復元部材４を挟み込むことにより、持ち手２が常に直立し、外側に向けて倒れにくくなり、持ち手２の縫い糸が解れにくくなる。
【００１７】
上記実施形態の構成態様は、本発明を限定するものとして挙げたものではなく、技術目的を共通にするかぎり変更は可能であり、本発明はそのような変更を含むものである。
【符号の説明】
【００１８】
１鞄  １１身頃  １２上マチ部  ２持ち手  ２１外側持ち手部  ２２内側持ち手部
【図１】
2011036464.tif 000003
【図２】
2011036464.tif 000004
【図３】
2011036464.tif 000005
【図４】
2011036464.tif 000006
【図５】
2011036464.tif 000007
【図６】
2011036464.tif 000008